(57)【要約】【課題】できる限りＢＣＭＣＳを利用してＢＣＭＣＳ配信データを受信し、ユニキャストによるＢＣＭＣＳ配信データの受信をできるだけ低減して無線リソースの有効利用を行うことができる無線通信装置及び方法を提供する。【解決手段】制御部５は、通信部１を所定のチャネルを設定し、通信部１は、ブロードキャスト／マルチキャストにより配信されるデータの受信動作を行う。ブロードキャスト／マルチキャストにより配信されるデータの配信時刻に、ブロードキャスト／マルチキャストにより配信されるデータを通信部１で受信できない場合、制御部５は、設定したチャネルとは異なるチャネルを通信部１に設定し、通信部１は、ブロードキャスト／マルチキャストにより配信されるデータの受信動作を行う。【選択図】図１
2008113192.tif 000002
【特許請求の範囲】
【請求項１】
ブロードキャスト／マルチキャストにより配信されるデータを受信する受信手段と、
前記ブロードキャスト／マルチキャストにより配信されるデータの配信時刻を記憶する記憶手段と、
該記憶手段によって記憶された配信時刻に、前記受信手段が、前記ブロードキャスト／マルチキャストにより配信されるデータを、設定したチャネルで受信できない場合、該設定したチャネルとは異なるチャネルを設定して、前記ブロードキャスト／マルチキャストにより配信されるデータの受信動作を行うように制御する制御手段とを具えることを特徴とする無線通信装置。
【請求項２】
前記制御手段は、前記異なるチャネルを設定して、前記受信手段が前記ブロードキャスト／マルチキャストにより配信されるデータを受信した場合、該受信したデータから当該配信されたコンテンツの受信できていないデータを判定し、該受信できていないデータをユニキャストで取得することを特徴とする請求項１記載の無線通信装置。
【請求項３】
ブロードキャスト／マルチキャストにより配信されるデータを受信する受信手段と、
前記ブロードキャスト／マルチキャストにより配信されるデータの配信時刻を記憶する記憶手段と、
該記憶手段によって記憶された配信時刻に、前記受信手段が、前記ブロードキャスト／マルチキャストにより配信されるデータを、設定したバンドクラスで受信できない場合、該設定したバンドクラスとは異なるバンドクラスを設定して、前記ブロードキャスト／マルチキャストにより配信されるデータの受信動作を行うように制御する制御手段とを具えることを特徴とする無線通信装置。
【請求項４】
前記制御手段は、前記異なるバンドクラスを設定して、前記受信手段が前記ブロードキャスト／マルチキャストにより配信されるデータを受信した場合、該受信したデータから当該配信されたコンテンツの受信できていないデータを判定し、該受信できていないデータをユニキャストで取得することを特徴とする請求項３記載の無線通信装置。
【請求項５】
所定のチャネルを設定して、ブロードキャスト／マルチキャストにより配信されるデータの受信動作を行い、
前記ブロードキャスト／マルチキャストにより配信されるデータの配信時刻に、前記ブロードキャスト／マルチキャストにより配信されるデータを受信できない場合、前記設定したチャネルとは異なるチャネルを設定して、前記ブロードキャスト／マルチキャストにより配信されるデータの受信動作を行うことを特徴とする無線通信方法。
【請求項６】
前記異なるチャネルを設定して、前記ブロードキャスト／マルチキャストにより配信されるデータを受信した場合、該受信したデータから当該配信されたコンテンツの受信できていないデータを判定し、該受信できていないデータをユニキャストで取得することを特徴とする請求項５記載の無線通信方法。
【請求項７】
所定のバンドクラスを設定して、ブロードキャスト／マルチキャストにより配信されるデータの受信動作を行い、
前記ブロードキャスト／マルチキャストにより配信されるデータの配信時刻に、前記ブロードキャスト／マルチキャストにより配信されるデータを受信できない場合、前記設定したバンドクラスとは異なるバンドクラスを設定して、前記ブロードキャスト／マルチキャストにより配信されるデータの受信動作を行うことを特徴とする無線通信方法。
【請求項８】
前記異なるバンドクラスを設定して、前記ブロードキャスト／マルチキャストにより配信されるデータを受信した場合、該受信したデータから当該配信されたコンテンツの受信できていないデータを判定し、該受信できていないデータをユニキャストで取得することを特徴とする請求項７記載の無線通信方法。
【発明の詳細な説明】
【技術分野】
【０００１】
本発明は、基地局から複数の宛先に向けて送信されたコンテンツを受信する無線通信装置及び方法に関する。
【背景技術】
【０００２】
符号分割多元接続（ＣＤＭＡ）を用いた移動体通信システムでは、高速なデータ通信機能、例えば、ＣＤＭＡ２０００における1xと1xEV-DO(1x evolution-data optimized)による通信サービスが提供されている。
【０００３】
1xEV-DOが用いられる移動体通信システムにおいて、動画像などによって構成されるコンテンツを、通信チャネル（例えば、トラフックチャネル）を用いて同時に複数の無線通信装置（例えば、無線通信端末、カーナビゲーションシステムに接続される無線通信カードモジュール）に向けて配信するＢＣＭＣＳ(broadcast/multicast services)も予定されている（例えば、非特許文献１）。
【０００４】
ＢＣＭＣＳでは、無線通信装置からのコンテンツ送信要求に応じて又はコンテンツの送信スケジュールに従って、ＢＣＭＣＳ配信情報及びＢＣＭＣＳ配信データが通信チャネルを通じて無線基地局から配信される。なお、ＢＣＭＣＳ配信データは、ＢＣＭＣＳを利用して配信される実データであり、ＢＣＭＣＳ配信情報は、ＢＣＭＣＳ配信データについての詳細な情報を示し、ＢＣＭＣＳ配信データが流れ始める前から流れ始め（配信前から配信し始め）、ＢＣＭＣＳ配信データとも同時に流れる（配信する）。
【０００５】
ＢＣＭＣＳにおいて既にコンテンツの配信が開始されている場合、無線通信装置は、ブロードキャスト（又はマルチキャスト）によって当該コンテンツの途中から受信して再生を開始することもある。
【０００６】
また、1xEV-DOが用いられる移動体通信システムでは、無線通信装置としての無線通信端末ＡＴ（Ａｃｃｅｓｓ  Ｔｅｒｍｉｎａｌ）は、パイロット信号の受信強度などの変化に応じて、通信相手の基地局ＡＮ（Ａｃｃｅｓｓ  Ｎｅｔｗｏｒｋ）を切り替えるハンドオフを行う。各基地局ＡＮは、ＢＣＭＣＳサーバとしてのパケット制御装置ＰＣＦ（Ｐａｃｋｅｔ  Ｃｏｎｔｒｏｌ  Ｆｕｎｃｔｉｏｎ）に接続されている。
【０００７】
かかるハンドオフには、同じＰＣＦ配下のＡＮ間のハンドオフ（ＡＮ間ハンドオフ）と、異なるＰＣＦ配下のＡＮ間のハンドオフ（ＰＣＦ間ハンドオフ）とがある。
【０００８】
具体的に説明すると、図７に示すように、ＡＮ間ハンドオフとは、ＡＴ１０ａが同じＰＣＦ３０ａ配下のＡＮ２１ａからＡＮ２２ａにハンドオフすることである。また、ＰＣＦ間ハンドオフとは、ＡＴ１０ｂがＰＣＦ３０ａ配下のＡＮ２３ａからＰＣＦ３０ｂ配下のＡＮ２１ｂにハンドオフすることである。
【０００９】
さらに、ＣＤＭＡを用いた移動体通信システムにおいて複数のバンドクラスを用いるものも提案されている。例えば、ＣＤＭＡ2000 1x使用の無線通信システムにおいては、現在国内で日本仕様の８００ＭＨｚ帯が用いられているが、このバンドクラスが世界基準仕様である新８００ＭＨｚ帯へ再編される予定である。なお、旧８００ＭＨｚ帯と新８００ＭＨｚ帯とでは、使用するバンドクラスのうちの上り、下りの割当て等が相違している。近年においては、現行のバンドクラス（旧８００ＭＨｚ帯）、新たなバンドクラス（新８００ＭＨｚ帯）及び高周波のバンドクラス（２ＧＨｚ帯）での通信が可能なマルチバンド対応の端末が開発されている。
【非特許文献１】“CDMA2000 High Rate Broadcast-Multicast Packet Data Air Interface Specification (C.S0054-0 Version 1.0) - Section 1.4: Broadcast Channels”、３ＧＰＰ２、２００４年２月
【発明の開示】
【発明が解決しようとする課題】
【００１０】
ＢＣＭＣＳでは、ＡＮの故障、ＡＮに接続されているＰＣＦの故障、ＰＣＦ間でないハンドオフによるＢＣＭＣＳ非対応ＡＮへの移動等が原因で、本来流れる（配信される）はずのＢＣＭＣＳ配信情報がＢＣＭＣＳチャネルを流れない（配信されない）場合や、ＡＮの故障、ＡＮが接続されているネットワーク側の輻輳による遅延の発生、ＢＣＭＣＳ配信情報に設定されているＢＣＭＣＳ配信チャネルの設定の誤り等が原因で、本来流れる（配信される）はずのＢＣＭＣＳ配信データがＢＣＭＣＳチャネルを流れない（配信されない）場合がある。
【００１１】
図８は、従来の無線通信装置の受信動作のタイムチャートである。この場合、バンドクラスＢＣＩのチャネルＣＨＡ，ＣＨＢ、バンドクラスＢＣIIのチャネルＣＨＣ及びバンドクラスＢＣIIIのチャネルＣＨＥには、ＢＣＭＣＳ配信情報及びＢＣＭＣＳ配信データが流れていない（配信されていない）が、バンドクラスＢＣIIのチャネルＣＨＤ及びバンドクラスＢＣIIIのチャネルＣＨＦには、ＢＣＭＣＳ配信情報及びＢＣＭＣＳ配信データが流れている（配信されている）。
【００１２】
チャネルＣＨＢにＢＣＭＣＳ待受チャネルを設定すると、ＢＣＭＣＳ配信データの受信を、ＢＣＭＣＳ配信データの配信時刻から受信処理タイマ満了まで待機する。したがって、他のバンドクラス又は他のチャネルにＢＣＭＣＳ配信データが流れている（配信されている）にもかかわらずＢＣＭＣＳ配信データを受信する機会を逃している。その結果、全てのＢＣＭＣＳ配信データ（例えば、チャネルＣＨＤを用いて取得できたＢＣＭＣＳ配信データ）をユニキャストを利用して取得する必要がある。
【００１３】
ユニキャストは、ＡＮとＡＴとの間で１対１で通信を行うため、無線リソースを１ユーザが占有することになる。ＢＣＭＣＳでは、できるだけ少ない無線リソースを用いて同一データを多くのユーザ（宛先）に配信することを目的としている。したがって、できる限りＢＣＭＣＳを利用してＢＣＭＣＳ配信データを受信することが望ましく、ユニキャストによるＢＣＭＣＳ配信データの受信をできるだけ低減して無線リソースの有効利用を行う必要がある。
【００１４】
本発明の目的は、できる限りＢＣＭＣＳを利用してＢＣＭＣＳ配信データを受信し、ユニキャストによるＢＣＭＣＳ配信データの受信をできるだけ低減して無線リソースの有効利用を行うことができる無線通信装置及び方法を提供することである。
【課題を解決するための手段】
【００１５】
本発明による第１の無線通信装置は、
ブロードキャスト／マルチキャストにより配信されるデータを受信する受信手段と、
前記ブロードキャスト／マルチキャストにより配信されるデータの配信時刻を記憶する記憶手段と、
該記憶手段によって記憶された配信時刻に、前記受信手段が、前記ブロードキャスト／マルチキャストにより配信されるデータを、設定したチャネルで受信できない場合、該設定したチャネルとは異なるチャネルを設定して、前記ブロードキャスト／マルチキャストにより配信されるデータの受信動作を行うように制御する制御手段とを具えることを特徴とする。
【００１６】
本発明による第２の無線通信装置は、
前記制御手段は、前記異なるチャネルを設定して、前記受信手段が前記ブロードキャスト／マルチキャストにより配信されるデータを受信した場合、該受信したデータから当該配信されたコンテンツの受信できていないデータを判定し、該受信できていないデータをユニキャストで取得することを特徴とする。
【００１７】
本発明による第３の無線通信装置は、
ブロードキャスト／マルチキャストにより配信されるデータを受信する受信手段と、
前記ブロードキャスト／マルチキャストにより配信されるデータの配信時刻を記憶する記憶手段と、
該記憶手段によって記憶された配信時刻に、前記受信手段が、前記ブロードキャスト／マルチキャストにより配信されるデータを、設定したバンドクラスで受信できない場合、該設定したバンドクラスとは異なるバンドクラスを設定して、前記ブロードキャスト／マルチキャストにより配信されるデータの受信動作を行うように制御する制御手段とを具えることを特徴とする。
【００１８】
本発明による第４の無線通信装置は、
前記制御手段は、前記異なるバンドクラスを設定して、前記受信手段が前記ブロードキャスト／マルチキャストにより配信されるデータを受信した場合、該受信したデータから当該配信されたコンテンツの受信できていないデータを判定し、該受信できていないデータをユニキャストで取得することを特徴とする。
【００１９】
本発明による第１の無線通信方法は、
所定のチャネルを設定して、ブロードキャスト／マルチキャストにより配信されるデータの受信動作を行い、
前記ブロードキャスト／マルチキャストにより配信されるデータの配信時刻に、前記ブロードキャスト／マルチキャストにより配信されるデータを受信できない場合、前記設定したチャネルとは異なるチャネルを設定して、前記ブロードキャスト／マルチキャストにより配信されるデータの受信動作を行うことを特徴とする。
【００２０】
本発明による第２の無線通信方法は、
前記異なるチャネルを設定して、前記ブロードキャスト／マルチキャストにより配信されるデータを受信した場合、該受信したデータから当該配信されたコンテンツの受信できていないデータを判定し、該受信できていないデータをユニキャストで取得することを特徴とする。
【００２１】
本発明による第３の無線通信方法は、
所定のバンドクラスを設定して、ブロードキャスト／マルチキャストにより配信されるデータの受信動作を行い、
前記ブロードキャスト／マルチキャストにより配信されるデータの配信時刻に、前記ブロードキャスト／マルチキャストにより配信されるデータを受信できない場合、前記設定したバンドクラスとは異なるバンドクラスを設定して、前記ブロードキャスト／マルチキャストにより配信されるデータの受信動作を行うことを特徴とする。
【００２２】
本発明による第４の無線通信方法は、
前記異なるバンドクラスを設定して、前記ブロードキャスト／マルチキャストにより配信されるデータを受信した場合、該受信したデータから当該配信されたコンテンツの受信できていないデータを判定し、該受信できていないデータをユニキャストで取得することを特徴とする。
【発明の効果】
【００２３】
本発明によれば、所定のチャネルを設定し又は所定のバンドクラスを設定して、ブロードキャスト／マルチキャスト（ＢＣＭＣＳ）により配信されるデータの受信動作を行い、ブロードキャスト／マルチキャストにより配信されるデータの配信時刻に、ブロードキャスト／マルチキャストにより配信されるデータを受信できない場合、設定したチャネルとは異なるチャネルを設定し又は設定したバンドクラスとは異なるバンドクラスを設定して、ブロードキャスト／マルチキャストにより配信されるデータの受信動作を行う。これによって、ブロードキャスト／マルチキャストにより配信されるデータが、設定したチャネルに流れていない（設定したチャネルで配信されていない）場合でも、ブロードキャスト／マルチキャストにより配信されているチャネルへの遷移を行うことができ、又は、ブロードキャスト／マルチキャストにより配信されるデータが、設定したバンドクラスに流れていない（設定したバンドクラスで配信されていない）場合でも、ブロードキャスト／マルチキャストにより配信されているバンドクラスへの遷移を行うことができる。その結果、ブロードキャスト／マルチキャストにより配信されるデータを、できる限りＢＣＭＣＳを利用して受信することができ、ユニキャストによるデータの受信をできるだけ低減して無線リソースの有効利用を行うことができる。
【発明を実施するための最良の形態】
【００２４】
本発明による無線通信装置及び方法を、図面を参照して詳細に説明する。
図１は、本発明による無線通信装置の第１の実施の形態のブロック図である。図１に示す無線通信装置は、例えば、図１に示す移動体通信システムのＡＴとして使用され、各々が少なくとも一つのチャネルを有する複数のバンドクラス（この場合、チャネルＣＨＡ及びＣＨＢを有するバンドクラスＢＣＩ、チャネルＣＨＣ及びＣＨＤを有するバンドクラスＢＣII並びにチャネルＣＨＥ及びＣＨＦを有するバンドクラスＢＣIII）に対応する。
【００２５】
図１に示す無線通信装置は、ＢＣＭＣＳ配信情報及びＢＣＭＣＳ配信データを受信する通信部１と、通信部１で受信したＢＣＭＣＳ配信データのコンテンツを表示する表示部２と、ＢＣＭＣＳ配信情報に含まれる配信時刻などを記憶する記憶部３と、ユーザによる入力操作が行われる入力部４と、通信部１、表示部２、記憶部３及び入力部４を制御する制御部５とを具える。
【００２６】
図２は、本発明による無線通信装置の第１の実施の形態の受信動作のフローチャートである。本ルーチンは、ＢＣＭＣＳコンテンツすなわちＢＣＭＣＳ配信データの配信時刻になると開始される。そして、ＢＣＭＣＳ配信データを、制御部５によって設定されたチャネルで、予め設定された待機期間中に通信部１によって受信可能であるか否かを判定する（ステップＳ１）。このような待機期間は、例えば、ＢＣＭＣＳ配信データの存在を確認するために無線通信装置と基地局との間の時間差（遅延の最大値）を考慮してチャネルごとに設定される。なお、配信時刻からチャネル間遷移までの時間を、無線通信装置と基地局との間の時間差を考慮して設定することによって、チャネル又はバンドクラスにＢＣＭＣＳ配信データが存在するか否かを正確に判断することができる。
【００２７】
受信可能である場合、制御部５は、通信部１がＢＣＭＣＳ配信データの受信を開始するように制御して、本ルーチンを終了する。それに対して、受信可能でない場合には、図示しない受信処理タイマが満了したか否か、すなわち、ＢＣＭＣＳコンテンツ配信時刻から所定の時間経過したか否か判定する（ステップＳ２）。なお、配信時刻から受信処理タイマが満了するまでの時間に比べて、待機期間は著しく短く設定されている。
【００２８】
受信処理タイマが満了した場合、制御部５は、通信部１がＢＣＭＣＳ配信データの受信処理を終了するように制御し、本ルーチンを終了する。したがって、受信処理タイマが満了し、かつ、ＢＣＭＣＳ配信データの受信に成功しなかった時点で受信処理を終了させる。それに対して、受信処理タイマが満了していない場合、通信部１で設定したチャネルとは別のチャネルが同一バンドクラスにあるか否か判定する（ステップＳ３）。
【００２９】
別のチャネルが同一バンドクラスにある場合、ＢＣＭＣＳ配信情報及びＢＣＭＣＳ配信データの受信を試みるために、別のチャネルをＢＣＳＣＭ待受チャネルに設定して、ステップＳ１に戻る。それに対して、別のチャネルが同一バンドクラスにない場合、別のバンドクラスに遷移し（ステップＳ５）、別のバンドクラスにＢＣＭＣＳ待受チャネルが存在するか否か判定する（ステップＳ６）。待受チャネルがある場合には、ステップＳ４に進む。それに対して、待受チャネルがない場合には、ステップＳ５に戻る。
【００３０】
図３及び４は、本発明による無線通信装置の第１の実施の形態の受信動作のタイムチャートである。図３において、バンドクラスＢＣＩのチャネルＣＨＡ，ＣＨＢ、バンドクラスＢＣIIのチャネルＣＨＣ及びバンドクラスＢＣIIIのチャネルＣＨＥには、ＢＣＭＣＳ配信情報及びＢＣＭＣＳ配信データが流れていない（配信されていない）が、バンドクラスＢＣIIのチャネルＣＨＤ及びバンドクラスＢＣIIIのチャネルＣＨＦには、ＢＣＭＣＳ配信情報及びＢＣＭＣＳ配信データが流れている（配信されている）。
【００３１】
チャネルＣＨＡにＢＣＭＣＳ待受チャネルを設定し、ＢＣＭＣＳ配信データが配信時刻になっても受信できないと判断すると、予め設定された待機期間を経過した後、他のチャネル又はバンドクラスでＢＣＭＣＳ配信データが配信されているか否かを確認するために、チャネル遷移又はバンドクラス遷移を行う。この場合、先ず、バンドクラスＣＨＩにおいてチャネルＣＨＡからチャネルＣＨＢへのチャネル遷移を行う。バンドクラスＣＨＩ内の全てのチャネルＣＨＡ，ＣＨＢで期待するＢＣＭＣＳ配信データを受信できないと判断すると、バンドクラスＣＨＩからバンドクラスＣＨIIへのバンド遷移を行う。バンド遷移に際し、バンドクラスＣＨＩのチャネルＣＨＢからバンドクラスＣＨIIのチャネルＣＨＣへの遷移が行われる。その後、バンドクラスＣＨIIにおいてチャネルＣＨＣからチャネルＣＨＤへのチャネル遷移を行う。
【００３２】
期待するＢＣＭＣＳ配信データを遷移先で受信できた場合、そのまま受信を継続する。ここでは、チャネルＣＨＤでＢＣＭＣＳ配信データを受信可能になっている。したがって、ユニキャストで取得すべきデータ量は、配信時刻からチャネルＣＨＤでの受信開始までの間に配信されたデータ量となり、配信時刻から配信終了までに配信されるデータ量に比べて大幅に減少する。
【００３３】
図４では、ＢＣＭＣＳ待受けチャネルとして設定したチャネルＣＨＡにＢＣＭＣＳ配信情報が存在するが、配信時刻になってもＢＣＭＣＳ配信データがチャネルＣＨＡに流れない（配信されない）場合について示している。この場合も、図３と同様に、先ず、バンドクラスＣＨＩにおいてチャネルＣＨＡからチャネルＣＨＢへのチャネル遷移を行い、次に、バンドクラスＣＨＩのチャネルＣＨＢからバンドクラスＣＨIIのチャネルＣＨＣへのバンド遷移を行い、次に、バンドクラスＣＨIIにおいてチャネルＣＨＣからチャネルＣＨＤへのチャネル遷移を行う。
【００３４】
次に、本発明による無線通信装置の第２の実施の形態を説明する。第２の実施の形態の無線通信装置の構成は、図１に示すものと同一である。
図５は、本発明による無線通信装置の第２の実施の形態の受信動作のフローチャートである。本ルーチンは、ＢＣＭＣＳコンテンツすなわちＢＣＭＣＳ配信データの配信時刻になると開始される。そして、ＢＣＭＣＳ配信情報を、制御部５によって設定されたチャネルで、予め設定された待機期間中に通信部１によって受信可能であるか否かを判定する（ステップＳ１１）。
【００３５】
ＢＣＭＣＳ配信情報を受信可能である場合、ＢＣＭＣＳ配信データを、制御部５によって設定されたチャネルで通信部１によって受信可能であるか否か判定する（ステップＳ１２）。それに対して、ＢＣＭＣＳ配信情報を受信可能でない場合、ステップＳ１２をスキップしてステップＳ１３に進む。
【００３６】
ステップＳ１２においてＢＣＭＣＳ配信データを受信可能である場合、制御部５は、通信部１がＢＣＭＣＳ配信データの受信を開始するように制御して、本ルーチンを終了する。それに対して、受信可能でない場合には、ステップＳ１３に進む。なお、ステップＳ１３〜Ｓ１７は、図２のステップＳ２〜Ｓ６にそれぞれ対応する。
【００３７】
本実施の形態では、待機期間は、初期値を零とし、例えば、ＢＣＭＣＳ配信データの存在を確認するために無線通信装置と基地局との間の時間差（遅延の最大値）を考慮してステップＳ１２及びＳ１５で更新される。また、配信時刻から受信処理タイマが満了するまでの時間に比べて、待機期間は著しく短く設定されている。
【００３８】
図６は、本発明による無線通信装置の第２の実施の形態のタイムチャートである。図６でも、図３と同様に、バンドクラスＢＣＩのチャネルＣＨＡ，ＣＨＢ、バンドクラスＢＣIIのチャネルＣＨＣ及びバンドクラスＢＣIIIのチャネルＣＨＥには、ＢＣＭＣＳ配信情報及びＢＣＭＣＳ配信データが流れていない（配信されていない）が、バンドクラスＢＣIIのチャネルＣＨＤ及びバンドクラスＢＣIIIのチャネルＣＨＦには、ＢＣＭＣＳ配信情報及びＢＣＭＣＳ配信データが流れている（配信されている）。
【００３９】
チャネルＣＨＡにＢＣＭＣＳ待受チャネルを設定し、ＢＣＭＣＳ配信情報がチャネルＣＨＡに流れない（配信されない）と判断すると、配信時刻にチャネルＣＨＢからチャネルＣＨＡに即座に遷移する。このようにＢＣＭＣＳ配信情報がチャネルに流れていない（配信されていない）場合にはチャネルをすぐに遷移することによって、上記第１の実施の形態のようにＢＣＭＣＳ配信情報の有無に関係なくチャネルＣＨＡからチャネルＣＨＢに遷移するときに待機時間を設けた場合に比べて、ユニキャストで取得すべきデータ量が減少する。
【００４０】
ＢＣＭＣＳ待受けチャネルとして設定したチャネルＣＨＡにＢＣＭＣＳ配信情報が存在するが、配信時刻になってもＢＣＭＣＳ配信データがチャネルＣＨＡに流れないときに、本発明による無線通信装置の実施の形態の第２の受信動作を適用した場合、配信時刻からチャネルＣＨＡ−ＣＨＢ間遷移までの待機時間が、ＢＣＭＣＳ配信データの存在を確認するために無線通信装置と基地局との間の時間差（遅延の最大値）を考慮して設定されるため、図４と同様なタイムチャートが得られる。
【００４１】
上記第１及び第２の実施の形態によれば、ＢＣＭＣＳ配信データを受信できない場合、同一バンドクラスにおいてチャネル遷移を行い、同一バンドクラスの全てのチャネルでＢＣＭＣＳデータを受信できないと判断されると、他のバンドクラスに遷移し、他のバンドクラスにおいてチャネル遷移を行い、ＢＣＭＣＳ配信データが流れている（配信されている）チャネルでの受信動作を行うように制御する。これによって、設定したチャネルにＢＣＭＣＳ配信データが流れていない（配信されていない）場合でも、ＢＣＭＣＳ配信データが流れている（配信されている）チャネルへの遷移を行うことができるので、ＢＣＭＣＳ配信データを、できる限りＢＣＭＣＳを利用して受信することができる。
【００４２】
また、ＢＣＭＣＳ配信データを途中から取得できるので、配信時間からＢＣＭＣＳ配信データ受信開始までの期間だけユニキャストで取得すればよく、無線リソースの有効利用にもつながる。
【００４３】
本発明は、上記実施の形態に限定されるものではなく、幾多の変更及び変形が可能である。
例えば、上記実施の形態において、チャネル遷移とバンド遷移の両方を行う場合について説明したが、一つのバンドクラスにおいてチャネル遷移をする場合にも本発明を適用することができ、各バンドクラスが１チャネルのみを有し、バンドクラス遷移を行う場合にも本発明を適用することができる。
【図面の簡単な説明】
【００４４】
【図１】本発明による無線通信装置の実施の形態のブロック図である。
【図２】本発明による無線通信装置の第１の実施の形態の受信動作のフローチャートである。
【図３】本発明による無線通信装置の第１の実施の形態の受信動作のタイムチャートである。
【図４】本発明による無線通信装置の第１の実施の形態の受信動作のタイムチャートである。
【図５】本発明による無線通信装置の第２の実施の形態の受信動作のフローチャートである。
【図６】本発明による無線通信装置の第２の実施の形態の受信動作のタイムチャートである。
【図７】1xEV-DOが用いられる移動体通信システムの構成を示す図である。
【図８】従来の無線通信装置の受信動作のタイムチャートである。
【符号の説明】
【００４５】
１  通信部
２  表示部
３  記憶部
４  入力部
５  制御部
１０ａ，１０ｂ  無線通信端末（ＡＴ）
２１ａ，２２ａ，２３ａ，２１ｂ  基地局（ＡＮ）
３０ａ，３０ｂ  パケット制御装置（ＰＣＦ）
【図１】
2008113192.tif 000003
【図２】
2008113192.tif 000004
【図３】
2008113192.tif 000005
【図４】
2008113192.tif 000006
【図５】
2008113192.tif 000007
【図６】
2008113192.tif 000008
【図７】
2008113192.tif 000009
【図８】
2008113192.tif 000010